(57)【特許請求の範囲】
【請求項１】
外方部材が孔（４８）を有し、この孔内に内方溝（４６）が形成され、部材の外方面での外方端（４９）と前記孔に開放された内方端との間に前記孔の半径方向に延びているスロット（４７）を有しており、このスロットが前記部材の端部と前記溝との間に軸方向に延びており、内方部材（２５，３２）が外方溝（４５）を有し、ばねリングが前記部材をともに固定するように前記溝内に係合され、前記ばねリングに隣接して前記スロット（４７）内に半径方向かつ軸方向に延びるアーム（４２，６１，８３）を有する、ばねリング（４１，６０，８０）によって、内方部材（２５，３２）と収縮自在の関係において外方部材（３６，４０）をともに固定する、ばねリングによる部材固定方法において、この方法が、前記ばねリング（４１，６０，８０）を前記溝（４５，４６）内の一方に取り付け、前記ばねリングが前記一方の溝内に配置されるように前記ばねリングを収縮または伸長した状態において解除可能に保持し、前記リングが前記部材の溝が相互に一直線に整列されるまで前記収縮または伸長した状態にありながら前記部材をともに収縮して、そして前記リングが前記部材をともに固定するために前記相互に一直線に整列された溝（４５，４６）の両方に係合するように伸長または収縮するように前記リングを解放することからなっており、この方法が、前記両部材が収縮する前に、アーム上の半径方向に向かい合った対向面（４４，６２，６３，６４，６５，８３，８４，８６，８７）が保持要素（５１，６６，８８，９０）の向かい合った対向面に係合しており、前記ばねリングが前記溝の一方内で収縮または伸長させられた状態で保持されており、前記保持要素は前記アームのみにより支持されて前記スロット内に位置決めされており、そして、前記部材が前記溝が一直線に整列するように収縮されたとき、前記保持要素が前記スロットから外側への半径方向への移動により前記ばねリングを開放するために前記アームから係合解除されることを特徴とするばねリングによる部材固定方法。
【請求項２】
前記リングが前記溝の両方に係合するように伸長または収縮するために前記保持要素が前記アームから係合解除された後、前記保持要素は前記スロットに挿入され、前記リングの半径方向における前記アームと前記保持要素の相対的な移動により前記アーム上の対向面を半径方向で係合して、そして、前記保持要素は前記アームのみで支持され、かつ前記溝の両方に係合状態となる伸長または収縮した状態に前記リングを保持していることを特徴とする請求項１に記載のばねリングによる部材固定方法。
【請求項３】
前記保持要素が前記リングをその収縮された状態に保持するように前記アーム上の外側の面と係合され、そして、前記リングを前記伸長した状態に保持するために前記アーム上の内側の対向面と係合されることを特徴とする請求項２に記載のばねリングによる部材固定方法。
【請求項４】
前記リングが工具による係合のためにアームに隣接した外周に形状を有し、前記リングが前記内方部材の前記外方溝内にあるとき前記形状と係合される工具によつて収縮され、その後前記リングから前記工具が係合解除されて前記保持要素により前記アームが係合され、前記保持要素は前記アームにのみ支持されることを特徴とする請求項１ないし請求項３のいずれか１項に記載のばねリングによる部材固定方法。
【請求項５】
前記部材がともに固定されたとき、前記リングが前記部材の一方に固定された周囲要素の開口内に配置され、前記周囲要素が前記開口内に開口している半径方向の孔を有し、前記１方の部材の溝に置かれ、前記保持要素が前記両部材が収縮されたとき前記周囲要素の開口内に動き、そして前記保持要素が前記半径方向の孔を通って前記保持要素の部分を把持することで前記アームから係合解除され、前記半径方向の孔とスロットの外方開放端を通って前記リングの前記保持要素を半径方向に引き抜くことを特徴とする請求項１ないし請求項４のいずれか１項に記載のばねリングによる部材固定方法。
【請求項６】
前記外方部材が等速継手の外方レースであり、前記内方部材が車両のホイールベアリングの１部分であり、そして前記周囲要素が、前記ホイールベアリングが固定される車両のサスペンションのナックルであることを特徴とする請求項５に記載のばねリングによる部材固定方法。
【請求項７】
前記外方部材が等速継手の外方レースでありかつ前記内方部材が車両のホイールベアリングの１部分であることを特徴とする請求項１ないし請求項４のいずれか１項に記載のばねリングによる部材固定方法。
【請求項８】
外方部材が孔を有し、この孔内に内方溝が形成され、前記部材の外方面の外方端と前記孔に開口した内方端との間の前記孔の半径方向に延びるスロットを有し、かつ、このスロットは前記部材の端部と前記溝部の間に軸方向に延びており、前記外方部材と収縮自在な関係にある前記内方部材、この内方部材は前記内方溝と軸方向で一直線に整列するための外方溝を有し、前記部材をともに固定するために前記一直線に整列された溝に係合可能なばねリング、このばねリングは端部に隣接したところに前記スロット内で半径方向に外方に延びているアームを有している組立体において、前記アーム上の半径方向に向かい合った対向面が保持要素の向かい合った対向面に係合され、前記保持要素は収縮または伸長状態で前記リングを保持するために前記スロット内に位置決めされており、そして前記リングが前記溝の１方にまたは前記溝の両方に配置されて、前記保持要素はスロット内でアームにのみ支持されていることを特徴とする組立体。
【請求項９】
前記保持要素はその断面がＵ字形状であり、前記字形状の脚部の面が向かい合った対向面を備えていることを特徴とする請求項８に記載の組立体。
【請求項１０】
前記保持要素はその断面が中空の長方形の形状であり、前記長方形内に前記リングの前記アームを受容するように寸法付けられていることを特徴とする請求項９に記載の組立体。
【請求項１１】
前記保持要素が、前記リングが収縮状態で保持されるように前記アーム上の外方向の面に係合し、また、前記リングが伸長状態で保持されるように前記アームの内方の向き合った前記対向面に係合することを特徴とする請求項９に記載の組立体。
【請求項１２】
前記保持要素が前記スロットから取り除かれるために把持する部分を有し、この部分は前記両溝内でリングを保持するために前記リングアーム間に挿入されていることを特徴とする請求項８ないし請求項１１のいずれか１項に記載の組立体。
【請求項１３】
前記リングアームが保持要素と係合する時、前記保持要素と前記アームが係合するための解除可能な相互係合用の突起と凹所を有することを特徴とする請求項８ないし請求項１２のいずれか１項に記載の組立体。
【請求項１４】
前記保持要素が前記アームと係合されるように前記リングをその閉止状態において収縮させるために工具による係合のために前記アームに隣接した外周に形状を有することを特徴とする請求項８ないし請求項１３のいずれか１項に記載の組立体。
【請求項１５】
前記周囲要素が前記部材の１方に固定され、前記周囲要素が開口とこの開口内で開口している半径方向孔を有し、一方の前記部材の溝に配置され、そして、前記孔は前記保持要素が前記半径方向孔を通して通過されることにより前記アームから係合または係合解除可能に寸法付けられ位置決めされていることを特徴とする請求項８ないし１４のいずれか１項に記載の組立体。
【請求項１６】
前記外方部材が等速継手の外方レースの１部分であり、前記内方部材が車両のホイールベアリングの１部分であることを特徴とする請求項８ないし１５のいずれか１項に記載の組立体。
【請求項１７】
前記周囲要素が車両のサスペンションのナックルであることを特徴とする請求項１５および請求項１６に記載の組立体。
【請求項１８】
前記ばねリングが前記保持部材の外方の面で前記リングの前記アームの内方の前記対向面に係合することにより、前記外方レースの前記内方溝内に保持されており、前記保持部材は前記アームにのみより支持されて前記スロット内に収容されていることを特徴とする請求項１６に記載の組立体。
【請求項１９】
前記ばねリングが前記保持要素の内方の対向面で前記リングの前記アームの外方面と係合することにより前記部分の前記外方溝内に保持されていることを特徴とする請求項１６に記載の組立体。
【請求項２０】
前記保持要素が、前記スロットから外側への半径方向への移動により前記ばねリングを開放し、前記ばねリングを応力が負荷されない状態にすることを特徴とする請求項１に記載のばねリングによる部材固定方法。
【請求項２１】
前記保持要素が、前記スロットから外側への半径方向への移動により前記ばねリングを開放するよう、前記アームから取り外し可能であることを特徴とする請求項８に記載の組立体。
【発明の詳細な説明】
【０００１】
（技術分野）
本発明は、一般に、収縮自在の関係の２つの部材の相対的な軸方向運動に対する固定に関する。これらの部材は、協働溝、外方部材の内方溝および内方部材の外方溝に受容されるばねリングによって固定される。
【０００２】
（背景技術）
円形断面からなるるばねリングが、例えば、外方部材の内方溝に取り付けられかつ内方部材の自由端が丸溝を備えている、上述されたような内方および外方部材を有することは知られている。自由端が外方部材内に押されるので丸溝はリングを伸長させかつ内方部材の外方溝が外方部材の内方溝と一直線に整列されるまで内方部材を外方部材に伸縮自在にさせ、その結果リングは収縮しかつ相対的な軸方向運動に対して部材を保持するために両方の溝の側壁に係合する。
【０００３】
このゆな構造において、両溝の相対的な寸法とリングは、リングが開くとき内方部材を通過せねばならないがリングが収縮してその閉止状態にあるとき相対的な軸方向の移動に対して両部材を保持するために一直線に整列された溝の双方の壁に係合しなければならないので重要である。
【０００４】
円形断面のリングにより提供されるものよりも、より大きな安全性が幾つかの用途において要求される場合があり、その用途において長方形断面のリングが使用され、その断面は通常、軸方向よりも半径方向がより大きい寸法を有している。そのようなリングの使用時には、リングが外方部材の内方溝の底部に降下する傾向があり、そして内方部材上の斜面はリングを持ち上げもせずかつ両部材がともに収縮自在であるときリングを開放もしない。通常、それゆえ、かかるリングはそれらの端部で、あるいはその端部に隣接したところに開口された耳部を有しており、部材の組み立てを許容するように通常はスナップリングプライヤによって開放させられている。組み立て後、耳部は溝が一直線に整列されるとき解除される。このような構造において、外方部材はその基部にスロットを有しておりこのスロットを通って前記耳部がスナップリングプライヤに接近可能であるように突出する。この構成においては、リングの寸法と溝との寸法間に特別な関係があることが更に必要である。外方部材の内方溝は組み立てを許容するためにリングを完全に受容するのに十分な深さでなければならない、また、外方溝は深くなくてよい。
【０００５】
上記において、部材の組み立ての間中開放されて保持されているばねリングを記載したが、同様に、ばねリングが部材の組み立ての間中閉じて保持され、そして部材をともに保持するために両部材の相互に一直線に整列された溝内に伸長するように解放されることも可能である。このような場合に、内方部材の外方溝は組み立てを許容するように完全にリングを受容するのに十分な深さでなければならない、そして内側溝はそれほど深くなくてよい。
【０００６】
通常のスナップリングの端部の孔に嵌合し、組み立て作業の間中スナップリングの開放または閉止により保持するのに使用され、そしてスナップリングがその応力を解除された状態に戻させるように取り除かれるブリッジ部材を有することかイギリス公開特許第１５１４６９０号において既に提案されている。この構造において、ブリッジ部片はスナップリングの平面に対して垂直な方向で取り除かなければならず、多くの組み立てを行う場合には可能でない。
【０００７】
イギリス公開特許第３４９３２９号は、第１図において、ピン孔内の内方溝での係合するところでガジオンピンを保持するリングを示している。このリングはリング上の内方に突出したアーム間に挿入された溝付ディスクにより伸長させられた状態で保持されている。この構造は多くの用途に関して適当でない。
【０００８】
最後に、イギリス公開特許第１１３７４３６号には、外方部材が部材の外部にスロットを通って開口する内方溝を有し、かつ凹所にスロットを通って突出する長いアームを有するスナップリングが使用される構造が示されている。スナップリングは部材の組み立ての間中、閉止位置にスナップリングプライヤによって保持することができ、そして部材をともに保持するようにともに伸長させられる。この場合には内方部材に外方溝がない。この構造はスナップリングプライヤによりスナップリングのアームに係合することができるような経路がない多くの用途の使用には適さない。
イギリス公開特許第１２２３０５０号には、外方部材に孔を有し、この孔には内方溝が形成され、外方部材の外面の外方端と孔内に開口した内端との間に孔の半径方向で外側に延びているスロット、このスロットは外方部材の端部と前記溝との間で軸方向に延びている、外方部材と内方部材の収縮自在な組み付け構体が開示されている。内方部材と外方部材とは内方部材の外方溝内と前記溝内に係合されたばねスプリングにより組み付けられた位置で保持されることが可能である。リングにはスロット内で半径方向で外側に延びているアームをリングの隣接したことろに有している。部材を組み付けるために、アームの端部はスロットの半径方向で外側方向に延びており、部材が収縮したときにともに引き抜かれ、解除される。前記端部をともに引き抜くために、部材が収縮中に外方部材に接近する必要がある。いくつかの状況を考えれば、例えば、外方部材はその回りに他の部材に囲まれている、これは不可能であり、この先行した構成では、使用が難しい。
米国特許明細書第３７０１３０３号の図５と図６には溝を有したシャフト上に固定するためのストップリングが示されている。このストップリングはリングを延ばすためにニップルペンチにより係合されるための形状部を有したアームを備えている。ニップルペンチはリングの半径方向のアーム形状部を係合または係合解除可能である。この構造でもまた、いつも接近可能とは限らない半径方向のリングの問題がある。
【０００９】
したがって、長方形断面のリングを使用する多くの用途において、構体の他の部分に関連する溝の位置および／または部材の組み立ての方法のため、内・外方部材の組み立ての間中リングを開放または閉止されて保持するのにスナップリングプライヤを使用するのが好都合でないかまたは可能でさえない。これらの状況において、上述された公知の構造において部材の組み立てを援助するのに適切なものは１つも見当たらない。
【００１０】
かかる状況において、それゆえ、部材を収縮自在の関係に組み立てながらばねリングを開放または閉止して保持する何らかの手段、そしてリングが所望の軸方向の位置で部材を保持するために両溝の壁に係合するように内・外方溝が一直線に整列した時にリングをその通常の位置に収縮または伸長するように解除するための何らかの手段を見いだす必要がある。
【００１１】
本発明の目的は、従来技術が使用できない制限された状況において使用され得る入れ子式の収縮自在の関係において２つの部材を、ばねリングによって、ともに固定する方法を提供することにある。
【００１２】
（発明の開示）
本発明のこの態様によれば、外方部材が孔を有し、この孔内に内方溝を有し、前記孔に開放された内方端と部材の外方面の外方端との間に前記孔の半径方向に延びているスロットを有しており、前記部材の端部と前記溝との間に軸方向に延びている前記スロット、そしてばねリングが内方部材を位置決めするように前記溝内に係合され、かつその端部に隣接して、前記スロット内に概略半径方向に外方に延びるアームを有する、内方部材と収縮自在の関係において外方部材をともに固定するためのばねリングによる部材固定方法において、前記内方部材が外方溝を有し、そして前記ばねリングを前記溝の一方１つに装着する方法であって、前記ばねリングが、このばねリングによって全体的に支持される保持要素とリングアームを係合することにより前記一方の溝内に置かれるように前記ばねリングを収縮または伸長した状態において解除可能に保持し、前記アームが前記部材の両溝が相互に一直線に整列されるまでかつ前記リングアームと保持要素が前記スロット内に位置決めされるように前記保持要素と係合されながら前記部材をともに伸縮自在にしそして前記保持要素を前記スロットの外方開放端を通して半径方向に取り除かれ、かつしたがって前記アームを前記保持要素から係合解除しそして前記ばねリングが前記部材をともに固定するために相互に一直線に整列された溝の両方に係合するために収縮または伸長するように前記ばねリングを解除することからなることを特徴とするばねリングによる部材固定方法を提供する。
【００１３】
本発明の他の態様の目的は上述された方法によってともに固定される得る入れ子式の収縮自在な構体を提供することにある。
【００１４】
本発明のこの態様によれば、外方部材が孔を有し、この孔内の内方溝と前記孔に開放された内方端と前記外方部材の外方面での外方端との間の前記孔の半径方向に延びているスロットを有しており、このスロットが前記溝と前記部材の端部との間に軸方向に延びており、前記部材が前記溝内に係合されかつ前記内方部材を位置決めするばねリングによつて組み立てられた位置に保持されており、前記ばねリングが、その端部に隣接して、前記スロット内に概略半径方向に外方に向かって延びるアームを有する、内方部材と外方部材からなる収縮自在の構体において、前記内方部材が外方溝を有しそして前記ばねリングが前記部材を組み立てられて保持するために前記溝の両方に係合することを特徴とする内方部材と外方部材からなる収縮自在な構体を提供する。
【００１５】
本発明の他の態様の目的は上述された方法および構体において使用可能であるばねリングおよび保持要素の組み合わせを提供することにある。
【００１６】
本発明のこの態様によれば、我々は、開放状態または閉止状態にある休止状態を有しかつ概略半径方向に外方に向かって延びるアームがそれに隣接する端部を有する、長方形断面のばねリングと、このばねリングがそれぞれ閉止状態または開放状態にある応力が加えられた状態において前記ばねリングをその休止状態から外れて保持するために前記アームに解除可能に係合するように寸法付けられた保持要素との組み合わせにおいて、（１）前記保持要素が、前記ばねリングをその応力が加えられた状態に保持するために前記アームの縁部上の概略半径方向の、対向して向かい合う表面に係合する対向して向かい合う面を有し、（２）前記アームおよび前記保持要素の前記面が前記アームに対して前記保持要素の半径方向に外向きの移動によって係合解除されることができそして（３）前記保持要素が前記面から離れた部分を有しておりそれにより前記保持要素が把持され得ることを特徴とするばねリングと保持要素との組み合わせを提供する。
【００１７】
本発明を添付図面を参照して例として詳細に説明する。
【００１８】
（発明を実施するための最良の形態）
まず、図１を参照して、自動車のステアリングナックル（前輪軸）は符号２０で示されかつ自動車のサスペンションへの接続のためにその上方および下方端に手段２１および２２を有している。ステアリングナックルは符号２４で示されるホイールベアリングが取り付けられる中央開口２３を備えている。ホイールベアリングの内方部分が符号２５で示されかつブレーキディスク２７が図示されないボルトによって取付けされ得るフランジ２６を有している。ホイールベアリングの外方部分が符号２８で示されかつその１つが符号２９で示されるボルトによってステアリングナックルに固定されている。内方および外方のベアリング部分の間には２列のベアリングボール３０があり、右方の列の内方レースはさらに他のリング３２によって所定位置に保持されるリング３１によって設けられ、さらに他のリングは、順次、ホイールベアリングの内方部分２５の先細にされた内方端３３によって所定位置に保持されている。リング３２の外面は符号３４で示されるようにスプライン（キー溝）が付けられている。
【００１９】
等速継手は符号３５で略示されかつ外方レース３６、内方レース３７、内方および外方レースの溝に受容されるボール３８およびケージ３９からなっている。外方レースに固定されるのは、リング３２のスプライン３４に嵌合する内方にスプラインが付けられたリング４０である。リング３２と４０は以下でより詳細に説明されるようにリング４０の内方溝とリング３２の外方溝に受容されたばねリング４１によってともに保持されている。図示してない駆動軸が内方レース３７のスプラインが付けられた孔３７ａに係合され得る。
【００２０】
図２はリング４１を示している。このリングは長方形断面からなりかつその半径方向寸法はその軸方向寸法より大きくなっている。リングはその端部に２本のアーム４２を備えている。アーム４４の外面は約１０〜１１°の小さい角度で分散している。
【００２１】
図４、図５および図６を参照して、ばねリング４１はホイールベアリング上のリング３２の外方溝４５および等速継手の外方レースの１部分を形成しているリング４０の内方溝４６に受容されている。ばねリングは互いに間隔が置かれたところにアームを有する図２に示されるような休止状態でありかつアームが互いに接近する応力が負荷された状態では収縮され得る。図６に示されるようにリング４１は実質上内方溝４６を満たしかつ外方溝４３に突出する。
【００２２】
リング４０がスロット４７を備えることが見られる。このスロットはリング４０の孔４８とその外方端４９との間に延び、リングの外面にある。スロットはまた内方に向かって延びかつ内壁５０を有し、スロットの外方端はリング４０の外方端に開口されている。
【００２３】
部材の組み立ての間中、リングは図３に詳細に示される保持要素５１によって収縮された状態に保持されている。保持要素は、例えば、プラスチツク材料から成形され得るかまたは金属から作られることができる。保持要素は中実なブロックから作られかつ中央開口５２を有している。この開口はアームが開口内に係合され得るようにリングのアーム４４の幅より現実に大きい幅ｗを有し、開口の口部は符号５３で斜面が付けられている。保持要素は部分５４を有し、それにより部分５４は把持され得る。この部分は開口５２が有している部分よりも狭い。
【００２４】
部材を組み立てるために、リング４１はホイールベアリングの内方部分の１部分を形成するリング３２の溝４５に取り付けられている。リングのアーム４２は次いでともに収縮される。収縮されたリングのアームは保持要素５１の開口５２に挿入されかつこれはリング３２の内方溝４５内に完全に収容されるため、応力が負荷された状態に保持する。保持要素へのアーム４２の挿入の間中アーム４２の外面４４は保持要素の斜面５３に係合する。
【００２５】
部材は、その場合に、互いに係合しているリング３２と４０のスプラインとともにかつ部分がともに動くとき、リング４１のアームを保持している保持要素５１がスロット４７内に受容されるような方向に入れ子式にはめ込まれる。部分が完全にはめ込まれると、リング４０の内方溝４６はリング３２の内方溝と一直線に整列されかつ保持要素５１はスロット４７内に置かれる。保持要素の把持部分５４は次いで把持されかつスロットの半径方向に外方に向かって引っ張られ、したがって図３に示されるようにリング４１上のアーム４２を解放しかつリングを図２および図６に示される位置に膨伸長させる。この位置においてリングは外方溝４６を完全に満たしかつ内方溝４５を部分的に満たしている。
【００２６】
保持部材５１はスロット４７内にぴったりと嵌合するように寸法付けられかつナックル２０の、図示されない孔を通って取り外され得る。孔はＡＢＳセンサを受容するように設計された孔であってもよく、または特別な目的のために設けられてもよい。図４および図５においてＡＢＳ用リングは符号５５で示されている。
【００２７】
理解されることは、保持要素５１の使用が、リングのアーム４２が要素５１によってともに保持されながら部分をともに容易に組み立てられる得るということである。例えば、ホイールベアリングと等速継手はナックルに取り付けられかつリングの端部はそれゆえＡＢＳセンサまたは上述されたように保持要素のために設けられた孔を通って以外に接近することができないため、１対のスナップリングプライヤとともにアームを保持することはできない。
【００２８】
部品が組み立てられるときリングは図２に示されたようにその応力が負荷されない状態にある。所望ならば、ゲージが、リングが完全に伸長されたことを保証するためにスロット４７に挿入され、ゲージはリングアーム４２の間に入るように寸法付けられる。
【００２９】
代わりになる他の方法として、以下で説明されるように、保持要素の適切な部分が、もしも要素が逆にされるならば、スロットに戻りかつリングの端部を開いたままである。
【００３０】
図７を参照して、ばねリング６０が示され、このばねリングは半径方向寸法が軸方向寸法より大きい長方形の断面を有している。その端部において、リングは図９に詳細に示されるアーム６１を備えている。各アームは部分円形凹所６３を備えた内方に面している半径方向面６２を有している。アームの外方に面している半径方向面は突起６５において終端する傾斜部分６４を有している。リングの外方半径方向面は各アーム６１に隣接して符号６１ａで表面の１部分が削られている。
【００３１】
保持要素は図７において符号６６で示されかつ図１１および図１２においてより詳細に示される。保持要素は好都合にはプラスチツク成形体にすることが可能である。図１１および図１２から明らかなように、保持要素はベース６７およびアーム６８を有する略Ｕ形状からなっている。耳片６９がベースから延びかつ保持要素を所定位置にかつ所定位置から動かすためにプライヤによって把持され得る。アーム６８の外面７０は突起７１を有しかつアームの内面７２は凹所７３を有している。外壁７０は端部７４に対して僅かに傾斜が付いている。
【００３２】
図７に示されるように、保持要素はその応力がかかっていない位置であるその閉止位置にリングを保持するのに使用され得る。これは図７の矢印Ｃの方向においてアーム６１と係合して保持要素を摺動させることによって行われる。アームの傾斜された部分６４は表面７２に係合しかつ保持要素が矢印Ｃの方向に内方に向かって動かされるとき内面７２はアームでの突起６５が保持要素の凹所７３に受容されるまで傾斜された面６４を下方に動かす。保持要素はかくして所定位置に解除可能に保持されかつ耳片６９を把持しかつ保持要素を矢印Ｃと反対の方向に動かすことによりリングから取り外され得る。
【００３３】
図８は保持要素がその伸長させられた位置、例えば、その応力が負荷された状態においてリングを保持するのに使用され得る。この位置において、保持要素のアーム上の突起７１はアーム６１の内面の凹所６３に受容されかつしたがって２つの入れ子式に収縮する部分の組み立てを許容するようにその伸長させられた位置にリングを保持する。
【００３４】
リング６０および保持要素６６は図１、図４および図５に関連して記載された部材を組み立てるのに使用され得る。したがってリングは、スロット４７に受容されたアーム６１と等速継手の外方レースの１部分を形成するリング４０の内方溝４６内に挿入され得る。保持要素６６は次いで、リングがすべて内方溝４６内にあるようにリングを伸長させられた、応力が負荷された状態に保持するために図８に示されるごとくアームの間に挿入され得る。部分は次いで、溝４５および４６が一直線に整列するまで上述されたように入れ子式に収縮されることが可能でその結果保持要素６６は、これが両方の溝４５および４６に係合する図７に示されたようなその応力が負荷されない状態に戻るリングを結果として生じるスロット４７を通って取り除かれる。
【００３５】
保持要素は次いで、これが図７に示された位置を取りかつリングを両方の溝に係合してその応力が負荷されない状態に保持するようにスロット４７に再び挿入され得る。これはリングをそれ自体溝４５から係合解除するような使用においてリングが外方に伸長する可能性を阻止する。
【００３６】
それゆえ、組み立て作業の間中、いったん、リングが取り付けられかつ保持要素６６が図７に示されたように置き換えられると、構体の検査はリングが適切に取り付けられていることを示す。
【００３７】
図１０はばねリング８５のアームの幾らか異なる設計を示しており、図９に示されたアームと同様な方法において作動するが、アームの外面上の丸みを付けた突起８６およびその内面の凹所８７を有している。
【００３８】
図１３は、断面がＵ形状になっている代わりにＵ字状の口部を閉じる壁８７を有する実質上長方形の管の形であることを除いて図１１および図１２に関連して説明された保持要素と実質上同一である保持要素８８を示している。保持要素の作動は上述されたように正しいが付加された壁が、保持要素が軸方向にアームから偶発的に動かされるのを阻止する。
【００３９】
本発明のさらに他の変形例を次に図１４ないし図１６に関連して説明する。今、図１４を参照すると、ばねリングが符号８０で示される。リングは長方形の断面を有し、リングの横方向断面の半径方向寸法は軸方向寸法より大きくなっている。リングの端部は符号８１で示されかつリングの応力が負荷されてない状態において端部間にギヤツプ８２がある。これらの端部は半径方向に外方に向かって延びているアーム８３を有しそしてこれらが外方に面している面において凹状形状８４を有している。アームに隣接したリングの外周に形成されるのは切り欠き部８５である。
【００４０】
図４および図５に関連して上述されたように、２つの収縮自在な部材を保持するのにこのリングを使用することにおいて、リングは内方リング３２の外方溝４５に取り付けられかつ端部８１はその場合に説明されるような工具によって結び付けられる。保持要素は次いでその収縮した状態にリングを保持するためにアームの端部に係合する。部分が組み立てられたとき保持要素は取り外されかつリングは前述されたように図１４に示されたその応力が負荷されない状態に戻る。
【００４１】
図１５は符号８８で枢動される２本のアーム８７からなっているプライヤ状の工具Ｔの顎部８６の端部によって係合されているリング８０の切り欠き部８５を示している。アーム８７はハンドル８９を有している。ハンドル８９を互いに向かって動かすことにより、顎部８６は互いに近づきかつアーム９０の端部８１が結び付けられる。
【００４２】
これが行われると保持要素９０は図１６に示されるようにアーム８３と端部８１をともに保持するようにアーム８３上でクリップされ得る。保持要素９０はベース９１およびアーム９２を有している略Ｕ字形状である。アームは内方に傾斜しかつアームの凹状形状８４に係合する凸状形状９３を有している。保持要素９０はこれがアーム８３の端部上で容易に摺動され得るように弾性材料から作られることができその結果、凸状形状９３は凹状形状８４に受容される。
【００４３】
リングは、例えば、図４および図５に示されたような部材形状の２つの入れ子式に収縮可能な部材をとももに保持するのに使用される。使用において、リング８０はリング３２の溝４５内に置かれかつ必要ならば、溝内に受容されるように弾発開放される。リングが溝内にあるとき、切り欠き部８５は工具Ｔの顎部８６によって係合されかつリングの端部は結び付けられる。保持要素９は次いでリングを収縮された位置に保持するようにリングの端部上でクリップされる。この位置においてリングはスロット４５内に完全に受容される。上述されたように、部材は溝４５および４６が一直線になるように動かされかつ次いで保持要素９０がアーム８３からスロット４７を通って取り外され、アーム８３はこれがまた溝４５内に部分的に受容されながら溝４６を満たすその応力が負荷されない状態にリング８０を動かさせる。保持要素の除去を容易にするために保持要素はフツクまたは同様な工具と係合され得るそのベースに形成された開口９２を有している。
【００４４】
図１７は変形された保持要素を示している。この図において保持要素は図３に示した方法と同様な方法においてリング８０上でアーム８３に係合し得るアーム９４かつまた図示のように、リングがその応力が負荷されない状態にあるときアーム８３間のギヤツプ８２に挿入され得る突出部分９５を有するＵ字形状部分９３からなっている。突出部分９５はその端部に突起９６を有することもでき、この突起はアームの内方に面している表面９７の切り欠き部に受容されかくして図１７に示される位置において保持要素を保持する。
【００４５】
変形された保持要素を使用することにおいて、リング４０の溝４５へのリングの挿入および部材の組み立ては前述と同様である。いったん、保持要素が除去されかつリングが両方の溝４５および４６に係合するようにその応力が負荷されない状態に動かされると、保持要素はまわりに回転されかつ突起９５がその応力を負荷されない状態にリングを保持するためにギヤツプ８２にスロット４７を通って挿入されかくして溝４６を実質上満たしている。保持要素は記載されたように突起９６によって所定位置に解放可能に保持されている。
【００４６】
（産業上の利用可能性）
理解されるように、本発明は通常のスナップリングプライヤによるリングへの接近が邪魔される環境においてばねリングとともに保持されるような２つの部材を組み立てる手段および方法を提供する。
【図面の簡単な説明】
【図１】  ２つの部材が本発明による方法によってともに接続される自動車のホイールベアリングおよび等速継手の構体を示す断面図である。
【図２】  図１の構体に使用されるばねリングの正面図である。
【図３】  点線で示されるその内部形状を有しかつ図１に示される部材の組み立てに使用される保持要素を示す斜視図である。
【図４】  図１に示した構体の１部分を示す切り欠き斜視図である。
【図５】  保持要素およびばねリングの端部を示す図４の１部分の拡大図である。
【図６】  構体内の所定位置にあるばねリングを示す詳細断面図である。
【図７】  リングを閉止して保持する保持要素を有するばねリングの変形された形状を示す正面図である。
【図８】  図７の細部であるがリングを解放して保持する保持要素を示す図である。
【図９】  図７のリング上のアームの代替の形状を示す詳細図である。
【図１０】  図７のリング上のアームの代替の形状を示す詳細図である。
【図１１】  図７および図８に示した保持要素の斜視図である。
【図１２】  図１１の保持要素の平面図である。
【図１３】  僅かに異なる形状の保持要素を示す平面図である。
【図１４】  本発明で使用可能なばねリングのさらに他の形状を示す正面図である。
【図１５】  リングの端部を結び付けるための工具を示している図１４のリングの正面図である。
【図１６】  リング上のアームを取り囲んでいる保持要素を示す詳細図である。
【図１７】  リングのアームを離して保持する変形された保持要素を示す詳細図である。
【図１】
0004408562.tif 000002
【図２】
0004408562.tif 000003
【図３】
0004408562.tif 000004
【図４】
0004408562.tif 000005
【図５】
0004408562.tif 000006
【図６】
0004408562.tif 000007
【図７】
0004408562.tif 000008
【図８】
0004408562.tif 000009
【図９】
0004408562.tif 000010
【図１０】
0004408562.tif 000011
【図１１】
0004408562.tif 000012
【図１２】
0004408562.tif 000013
【図１３】
0004408562.tif 000014
【図１４】
0004408562.tif 000015
【図１５】
0004408562.tif 000016
【図１６】
0004408562.tif 000017
【図１７】
0004408562.tif 000018